(57)【特許請求の範囲】
【請求項１】
飲食物が配置された食卓の画像及び当該食卓の画像が撮影された撮影日時を提供する画像提供端末と、
前記画像提供端末と通信可能に接続されており、前記画像提供端末から受信した前記食卓の画像及び前記食卓の画像が撮影された撮影日時に基づいて第１食卓画像情報を生成して、当該第１食卓画像情報を前記画像提供端末へ送信する、サーバと、
を備えるシステムであって、
前記サーバは、前記食卓の画像を撮影した暦日が同じである複数の前記食卓の画像を受信した場合には、複数の前記食卓の画像があることを表す情報が前記暦日の部分に配置された表示画像を表示するための前記第１食卓画像情報を生成して、当該第１食卓画像情報を前記画像提供端末へ送信し、
前記画像提供端末は、前記サーバから受信した前記第１食卓画像情報に基づいた表示画像を表示部に表示し、ユーザによる所定の操作に基づいて、前記暦日に撮影された複数の前記食卓の画像が撮影時刻に基づいて時系列に配置された表示画像を表示するための第２食卓画像情報を生成することを求める要求を、前記サーバへ送信し、
前記サーバは、前記要求を受信すると、前記第２食卓画像情報を生成して、当該第２食卓画像情報を前記画像提供端末へ送信するシステム。
【請求項２】
前記サーバは、前記食卓の画像を撮影した暦日が同じである複数の前記食卓の画像を受信した場合には、受信した前記食卓の画像の数が前記暦日の部分に配置された表示画像を表示するための前記第１食卓画像情報を生成して、前記第１食卓画像情報を前記画像提供端末へ送信し、
前記画像提供端末は、前記サーバから受信した前記第１食卓画像情報に基づいた前記表示画像を前記表示部に表示し、ユーザによる当該表示画像中の前記食卓の画像の数に対する操作に基づいて、前記第２食卓画像情報を生成することを求める前記要求を、前記サーバへ送信する請求項１に記載のシステム。
【請求項３】
前記サーバは、前記食卓の画像が、前記食卓の画像の撮影日時に基づいて時系列に配置された前記第１食卓画像情報を生成する請求項１又は２に記載のシステム。
【請求項４】
前記サーバは、前記食卓の画像が、前記食卓の画像の撮影日時に基づいて暦日の順番に配置された前記第１食卓画像情報を生成する請求項３に記載のシステム。
【請求項５】
前記サーバは、複数の暦日において、前記食卓の画像を受信している場合には、各暦日における撮影された順番が同じである前記食卓の画像が、暦日の順番に配置された前記食卓画像情報を生成する請求項３に記載のシステム。
【請求項６】
前記サーバは、前記食卓の画像に基づいて推定された飲食物の熱量が、前記食卓の画像の撮影日時に基づいて時系列に配置された前記第１食卓画像情報を生成する請求項１〜５の何れか一項に記載のシステム。
【請求項７】
前記サーバは、前記食卓の画像に基づいて推定された飲食物に含まれる栄養素が、前記食卓の画像の撮影日時に基づいて時系列に配置された前記第１食卓画像情報を生成する請求項１〜５の何れか一項に記載のシステム。
【請求項８】
前記サーバと通信可能に接続されており、前記サーバから、前記第１食卓画像情報が送信される情報利用端末を備える請求項１〜７の何れか一項に記載のシステム。
【請求項９】
画像提供端末から受信した、飲食物が配置された食卓の画像及び当該食卓の画像が撮影された撮影日時に基づいて第１食卓画像情報を生成して、当該第１食卓画像情報を前記画像提供端末へ送信する、サーバであって、
前記画像提供端末から、前記食卓の画像を撮影した暦日が同じである複数の前記食卓の画像を受信した場合には、複数の前記食卓の画像があることを表す情報が前記暦日の部分に配置された表示画像を表示するための前記第１食卓画像情報を生成して、当該第１食卓画像情報を前記画像提供端末へ送信し、
前記サーバから受信した前記第１食卓画像情報に基づいた表示画像を表示部に表示し、ユーザにより所定の操作が行われた前記画像提供端末から、前記暦日に撮影された複数の前記食卓の画像が撮影時刻に基づいて時系列に配置された表示画像を表示するための第２食卓画像情報を生成することを求める要求を受信した場合、前記第２食卓画像情報を生成して、当該第２食卓画像情報を前記画像提供端末へ送信するサーバ。
【請求項１０】
画像提供端末が、飲食物が配置された食卓の画像及び当該食卓の画像が撮影された撮影日時をサーバへ送信することと、前記サーバが、前記画像提供端末から受信した前記食卓の画像及び前記食卓の画像が撮影された撮影日時に基づいて第１食卓画像情報を生成して、当該第１食卓画像情報を前記画像提供端末へ送信することを含む方法であって、
前記サーバが、前記食卓の画像を撮影した暦日が同じである複数の前記食卓の画像を受信した場合には、複数の前記食卓の画像があることを表す情報が前記暦日の部分に配置された表示画像を表示するための前記第１食卓画像情報を生成して、当該第１食卓画像情報を前記画像提供端末へ送信することと、
前記画像提供端末が、前記サーバから受信した前記第１食卓画像情報に基づいた表示画像を表示部に表示し、ユーザによる所定の操作に基づいて、前記暦日に撮影された複数の前記食卓の画像が撮影時刻に基づいて時系列に配置された表示画像を表示するための第２食卓画像情報を生成することを求める要求を、前記サーバへ送信することと、
前記サーバが、前記要求を受信すると、前記第２食卓画像情報を生成して、当該第２食卓画像情報を前記画像提供端末へ送信すること、
を含む方法。
【請求項１１】
サーバが、画像提供端末から受信した、飲食物が配置された食卓の画像及び当該食卓の画像が撮影された撮影日時に基づいて第１食卓画像情報を生成して、当該第１食卓画像情報を前記画像提供端末へ送信する方法であって、
前記サーバが、前記画像提供端末から、前記食卓の画像を撮影した暦日が同じである複数の前記食卓の画像を受信した場合には、複数の前記食卓の画像があることを表す情報が前記暦日の部分に配置された表示画像を表示するための前記第１食卓画像情報を生成して、当該第１食卓画像情報を前記画像提供端末へ送信することと、
前記サーバが、前記サーバから受信した前記第１食卓画像情報に基づいた表示画像を表示部に表示し、ユーザにより所定の操作が行われた前記画像提供端末から、前記暦日に撮影された複数の前記食卓の画像が撮影時刻に基づいて時系列に配置された表示画像を表示するための第２食卓画像情報を生成することを求める要求を受信した場合、前記第２食卓画像情報を生成して、当該第２食卓画像情報を前記画像提供端末へ送信すること、含む方法。
【発明の詳細な説明】
【技術分野】
【０００１】
本発明は、システム、サーバ及び方法に関する。
【背景技術】
【０００２】
消費者が飲食する飲食物に関する情報を入手し、入手した情報に基づいて、事業のマーケティングを行うことが行われている。
【０００３】
飲食は、ひとが生活活動を行うためのエネルギー源を摂取する基本的な行為であり、食生活を通して、消費者のリアルな姿を捉えることが、事業のマーケティングに有効な情報になると考えられる。
【０００４】
マーケティングでは、消費者のニーズを把握して、把握したニーズに対応する商品又はサービスの開発を行う。
【０００５】
消費者は、店舗において必要とする商品を購入するので、店舗において購入された商品を調べることが、消費者のニーズを把握することの１つになると考えられる。
【０００６】
例えば、消費者のニーズを把握するために、店舗における飲食物の販売情報を集計するＰＯＳシステムが利用することがある。
【０００７】
ＰＯＳシステムを用いることにより、消費者が店舗で購入した飲食物の情報を入手することはできるが、ＰＯＳシステムからは、消費者が、自宅等で購入した飲食物をどのように使用しているかという情報は得られない。例えば、店舗で購入される飲食物が、肉又は野菜等の加工する前の材料である場合には、加工された飲食物に関する情報を直接得ることはできない。
【０００８】
そこで、特許文献１では、各家庭において、購入された食品、物品等に関するデータと、飲食された食品、又は消費された物品に関するデータを収集し、分析することにより、一般家庭の生活をより快適にするための情報を取得するマーケティングシステムが提案されている。
【先行技術文献】
【特許文献】
【０００９】
【特許文献１】特開平１０−７８９８６号公報
【発明の概要】
【発明が解決しようとする課題】
【００１０】
しかし、特許文献１のマーケティングシステムでは、食事の献立又は材料等が文字情報として収集されるので、食卓の情報を得るという意味では、情報量が少ない場合があった。例えば、同じ献立でも、料理の状態は同じとは限られない。また、文字情報だけでは、料理の盛りつけの様子は不明である。更に、食事の献立又は材料等の文字情報を入力する作業に手間がかかるという問題点があった。更にまた、文字情報を入力する者に対して、食事の献立又は材料等の文字情報をシステムに提供してもらう動機付けが少ないので、システムを継続して利用してもらうことができないおそれもあった。
【００１１】
そこで、本明細書では、上述した課題を解決するために、飲食物が配置された食卓の画像を受信すると共に、食卓の画像の提供者に対して、受信した食卓の画像に基づいて生成された食卓画像情報を送信するシステムを提供することを課題とする。
【００１２】
また、本明細書では、上述した課題を解決するために、飲食物が配置された食卓の画像を受信すると共に、食卓の画像の提供者に対して、受信した食卓の画像に基づいて生成された食卓画像情報を送信するサーバを提供することを課題とする。
【００１３】
更に、本明細書では、上述した課題を解決するために、飲食物が配置された食卓の画像を受信すると共に、食卓の画像の提供者に対して、受信した食卓の画像に基づいて生成された食卓画像情報を送信する方法を提供することを課題とする。
【課題を解決するための手段】
【００１４】
本明細書に開示するシステムによれば、飲食物が配置された食卓の画像を提供する画像提供端末と、上記画像提供端末と通信可能に接続されており、上記画像提供端末から受信した上記食卓の画像に基づいて食卓画像情報を生成して、上記食卓画像情報を上記画像提供端末へ送信する、サーバと、を備える。
【００１５】
また、本明細書に開示するサーバによれば、画像提供端末から受信した、飲食物が配置された食卓の画像に基づいて、食卓画像情報を生成し、上記食卓画像情報を上記画像提供端末へ送信する。
【００１６】
更に、本明細書に開示する方法によれば、画像提供端末が、飲食物が配置された食卓の画像をサーバへ送信し、上記サーバが、上記画像提供端末から受信した上記食卓の画像に基づいて食卓画像情報を生成して、上記食卓画像情報を上記画像提供端末へ送信する。
【００１７】
更にまた、本明細書に開示する他の方法によれば、サーバが、画像提供端末から受信した、飲食物が配置された食卓の画像に基づいて、食卓画像情報を生成し、上記食卓画像情報を上記画像提供端末へ送信する。
【００１８】
上述した、上記食卓画像情報は、上記食卓の画像及び上記食卓の画像の撮影日時に基づいて、上記食卓画像情報が生成されることが好ましい。例えば、上記食卓画像情報は、上記食卓の画像が、上記食卓の画像の撮影日時に基づいて時系列に配置されて生成されることが好ましい。また、上記食卓画像情報は、上記食卓の画像に基づいて推定された飲食物の熱量が、上記食卓の画像の撮影日時に基づいて時系列に配置されて生成されることが好ましい。更に、上記食卓画像情報は、上記食卓の画像に基づいて推定された飲食物に含まれる栄養素が、上記食卓の画像の撮影日時に基づいて時系列に配置されて生成されることが好ましい。
【発明の効果】
【００１９】
上述した本明細書に開示するシステムによれば、飲食物が配置された食卓の画像を収集することにより、飲食物に関するより多くの情報を取得することできる。また、受信した食卓の画像に基づいて生成された食卓画像情報を食卓の画像の提供者に送信することにより、食卓の画像の提供者は、上述した食卓画像情報に基づいて、自分の飲食に関する状況を客観的に把握することができる。
【００２０】
また、上述した本明細書に開示するサーバによれば、飲食物が配置された食卓の画像を収集することにより、飲食物に関するより多くの情報を取得することできる。例えば、受信した食卓の画像に基づいて生成された食卓画像情報を食卓の画像の提供者に送信することにより、食卓の画像の提供者は、上述した食卓画像情報に基づいて、自分の飲食に関する状況を客観的に把握することができる。
【００２１】
更に、上述した本明細書に開示する方法によれば、飲食物が配置された食卓の画像を収集することにより、飲食物に関するより多くの情報を取得することできる。また、受信した食卓の画像に基づいて生成された食卓画像情報を食卓の画像の提供者に送信することにより、食卓の画像の提供者は、上述した食卓画像情報に基づいて、自分の飲食に関する状況を客観的に把握することができる。
【００２２】
更に、上述した本明細書に開示する他の方法によれば、飲食物が配置された食卓の画像を収集することにより、飲食物に関するより多くの情報を取得することできる。また、受信した食卓の画像に基づいて生成された食卓画像情報を食卓の画像の提供者に送信することにより、食卓の画像の提供者は、上述した食卓画像情報に基づいて、自分の飲食に関する状況を客観的に把握することができる。
【図面の簡単な説明】
【００２３】
【図１】本明細書に開示するシステムの一実施形態を示す図である。
【図２】画像提供端末の構成を示す図である。
【図３】サーバの構成を示す図である。
【図４】システムの動作を説明するシーケンス図である。
【図５】画像提供端末が食卓の画像を送信する処理を説明する図である。
【図６】（Ａ）は、食卓の画像が、撮影日時に基づいて暦日の順番に配置された食卓画像情報を示す図であり、（Ｂ）は、同じ暦日に撮影された複数の食卓の画像が、撮影時刻に基づいて時系列に配置された食卓画像情報を示す図である。
【図７】各暦日における一番目に撮影された食卓の画像が、暦日の順番に配置された食卓画像情報を示す図である。
【図８】（Ａ）は、食卓の画像に基づいて推定された飲食物の熱量が、撮影日時に基づいて暦日の順番に配置された食卓画像情報を示す図であり、（Ｂ）は、同じ暦日に撮影された複数の食卓の画像に基づいて推定された飲食物の熱量が、撮影時刻に基づいて時系列に配置された食卓画像情報を示す図である。
【図９】（Ａ）は、食卓の画像に基づいて推定された飲食物の栄養素が、撮影日時に基づいて暦日の順番に配置された食卓画像情報を示す図であり、（Ｂ）は、同じ暦日に撮影された複数の食卓の画像に基づいて推定された飲食物の栄養素が、撮影時刻に基づいて時系列に配置された食卓画像情報を示す図である。
【発明を実施するための形態】
【００２４】
以下、本明細書で開示するシステムの好ましい一実施形態を、図を参照して説明する。但し、本発明の技術範囲はそれらの実施形態に限定されず、特許請求の範囲に記載された発明とその均等物に及ぶものである。
【００２５】
図１は、本明細書に開示するシステムの一実施形態を示す図である。
【００２６】
本実施形態のシステム１０は、画像提供端末２０と、サーバ３０と、情報利用端末５０を備える。サーバ３０は、画像提供端末２０及び情報利用端末５０と、ネットワークＮを介して、互いに通信可能に接続されている。ネットワークＮは、有線若しくは無線又は有線及び無線の通信技術を用いて構成される。
【００２７】
飲食物が配置された食卓の画像を提供する画像提供者（図示せず）は、画像提供端末２０を用いて、飲食物が配置された食卓の画像を撮影する。画像提供者により操作される画像提供端末２０は、飲食物が配置された食卓の画像をサーバ３０へ送信する。サーバ３０は、画像提供端末２０から受信した食卓の画像に基づいて食卓画像情報を生成して、この食卓画像情報を画像提供端末２０へ送信する。
【００２８】
本明細書では、飲食物には、食べ物又は飲み物が含まれる。飲食物が配置された食卓の画像には、飲み物だけが含まれる場合、又は、飲み物だけが含まれる場合もあり得る。飲食物には、朝食、昼食又は夕食を目的として飲食される飲食物、及び、これら３食以外の目的で飲食される飲食物が含まれる。通常、飲食物は、画像提供者が飲食する飲食物を意味するが、画像提供者以外のものが飲食する飲食物であってもよい。
【００２９】
また、本明細書では、食卓は、飲食物が飲食されるために配置される場所を意味する。飲食物が、テーブルの上に配置されて飲食される場合には、テーブルが食卓を意味する。また、飲食物が、職場の机の上に配置されて飲食される場合には、職場の机が食卓を意味する。更に、飲食物が、公園のベンチ等の上に配置されて飲食される場合には、公園のベンチ等が食卓を意味する。
【００３０】
また、画像提供者は、画像提供者に関する属性情報、及び、送信される食卓の画像に関するアンケートへの回答を、画像提供端末２０を用いて、ネットワークＮを介して、サーバ３０へ送信する。
【００３１】
画像提供者に関する属性情報としては、例えば、性別又は年齢等の個人属性、世帯人数、子供の有無等の家族属性、個人年収、世帯年収等の所得、美容意識又は飲酒等の分野別のライフスタイル属性、衝動買い又は店舗購入等の購買行動属性等が挙げられる。
【００３２】
また、アンケートの質問項目としては、例えば、送信される食卓の画像がいつの食事（朝食、昼食又は夕食等）であるかについて、食事は、一人で食べるのか又は家族食べるのかについて、料理の調理方法（手料理、加工食品、惣菜等）について、料理のメニューがだれにより決定されたのかについて等が挙げられる。
【００３３】
図２は、画像提供端末の構成を示す図である。
【００３４】
画像提供端末２０は、演算部２１と、記憶部２２と、操作部２３と、表示部２４と、撮影部２５と、通信部２６を有する。
【００３５】
演算部２１は、記憶部２２に予め記憶されている所定のプログラムに従い、画像提供端末２０の各要素の制御及び各種処理を行い、処理中に生じるデータを一時的に保存するために記憶部２２を利用する。
【００３６】
記憶部２２は、１次記憶装置及び２次記憶装置を有していても良い。また、記憶部２２は、所定のプログラムを記憶する記憶媒体２２ａを読み出し可能なドライブを有していても良い。
【００３７】
操作部２３は、画像提供者によって操作されて、各種の情報を入力する。操作部２３としては、例えば、タッチパネルを用いることができる。演算部２１は、操作部２３から入力された各種の情報を用いて、各種処理を行う。
【００３８】
表示部２４は、演算部２１に制御されて、各種の情報を表示する。表示部２４としては、例えば、液晶パネルを用いることができる。
【００３９】
撮影部２５は、画像提供者によって操作されて、飲食物が配置された食卓の画像を撮影する。撮影部２５としては、例えば、ＣＣＤ、又はＣＭＯＳ画像化素子等を用いることができる。
【００４０】
通信部２６は、演算部２１に制御されて、ネットワークＮを介して、サーバ３０との間でデータの送受信を行う。例えば、通信部３５は、ネットワークＮを介して、食卓の画像をサーバ３０へ送信する。
【００４１】
画像提供端末２０としては、例えば、多機能型携帯電話機、タブレット端末、パーソナルコンピュータ等を用いることができる。
【００４２】
なお、画像提供者は、食卓の画像を、画像提供端末２０を用いて撮影せずに、別途用意した食卓の画像を、サーバ３０へ送信してもよい。この場合には、画像提供端末２０は、撮影部を有していなくてもよい。
【００４３】
図３は、サーバの構成を示す図である。
【００４４】
サーバ３０は、演算部３１と、記憶部３２と、操作部３３と、表示部３４と、通信部３５を有する。
【００４５】
演算部３１は、記憶部３２に予め記憶されている所定のプログラムに従い、サーバ３０の各要素の制御及び各種処理を行い、処理中に生じるデータを一時的に保存するために記憶部３２を利用する。記憶部３２は、１次記憶装置及び２次記憶装置を有していても良い。
【００４６】
操作部３３は、システム１０の管理者等によって操作されて、各種の情報を入力する。操作部３３としては、例えば、キーボード又はマウスを用いることができる。演算部３１は、操作部３３から入力された各種の情報を用いて、各種処理を行う。
【００４７】
表示部３４は、演算部３１に制御されて、各種の情報を表示する。表示部３４としては、例えば、液晶パネルを用いることができる。
【００４８】
通信部３５は、ネットワークＮを介して、画像提供端末２０又は情報利用端末５０との間でデータの送受信を行う。例えば、通信部３５は、ネットワークＮを介して、食卓画像情報を画像提供端末２０へ送信する。
【００４９】
図１に示すように、サーバ３０は、画像データベース（ＤＢ）４０と、属性データベース（ＤＢ）４１と、アンケートデータベース（ＤＢ）４２を有する。
【００５０】
画像ＤＢ４０には、画像提供端末２０から受信された食卓の画像が記憶される。属性ＤＢ４１には、画像提供者に関する属性情報が記憶される。アンケートデータベース４２には、画像提供者から受信したアンケートの回答が記憶される。
【００５１】
サーバ３０は、食卓の画像と、画像を提供した画像提供者の属性情報と、アンケートの回答とを関連づけて、各データベース４０、４１、４２に記憶する。
【００５２】
サーバ３０は、画像提供者端末２０からの食卓の画像の受信回数、又は、アンケートの回答の品質に基づいて、画像提供者端末２０に対して、商品の購入等に使用可能なポイントを付与してもよい。画像提供者は、ポイントが付与されることにより、食卓の画像を提供するための動機付けが高められる。
【００５３】
情報利用端末５０は、画像提供者に関する属性情報又は画像提供者のアンケートの質問項目に基づいて作成された検索条件を、ネットワークＮを介して、サーバ３０へ送信する。サーバ３０は、各データベース４０、４１、４２に記憶された情報及び食卓画像情報に基づいて、受信した検索条件に対応する検索結果情報を生成し、生成した検索結果情報を情報利用端末５０へ送信する。情報利用端末５０のユーザは、システム１０を用いて、食卓画像情報を利用することができる。
【００５４】
次に、上述したシステム１０の動作について、図４に示すフローチャートを参照しながら、以下に説明する。
【００５５】
まず、ステップＳ１０において、画像提供者に操作される画像提供端末２０は、飲食物が配置された食卓の画像を撮影する。
【００５６】
次に、ステップＳ１２において、画像提供者に操作される画像提供端末２０は、飲食物が配置された食卓の画像、食卓の画像が撮影された撮影日時、画像提供者に関する属性情報、及びアンケートの回答を、画像提供者を識別する識別情報と共に、画像提供端末２０を用いて、ネットワークＮを介して、サーバ３０へ送信する。
【００５７】
図５は、画像提供端末が食卓の画像を送信する処理を説明する図である。
【００５８】
画像提供端末２０の表示部２４には、撮影された食卓の画像２４ａと、食卓の画像が撮影された撮影日時２４ｂが表示されている。また、表示部２４には、送信ボタン２４ｃが表示されている。表示部２４上には、操作部２３としてのタッチパネルが重ねられている。画像提供者が、タッチパネルを用いて送信ボタン２４ｃを操作することにより、画像提供端末２０は、食卓の画像を、食卓の画像が撮影された撮影日時と共に、サーバ３０へ送信する。
【００５９】
次に、ステップＳ１４において、サーバ３０は、食卓の画像、食卓の画像が撮影された撮影日時、画像提供者に関する属性情報、及びアンケートの回答を、画像提供者を識別する識別情報と共に、ネットワークＮを介して、画像提供端末２０から受信する。サーバ３０は、食卓の画像を、画像提供者を識別する識別情報と関連づけて、画像ＤＢ４０に記憶する。また、サーバ３０は、画像提供者に関する属性情報を、画像提供者を識別する識別情報と関連づけて、属性ＤＢ４１に記憶する。更に、サーバ３０は、アンケートの回答を、画像提供者を識別する識別情報と関連づけて、アンケートＤＢ４２に記憶する。このように、飲食物が配置された食卓の画像と、画像を提供した画像提供者の属性情報と、アンケートの回答とは、画像提供者を識別する識別情報を用いて、互いに関連づけられて、各データベース４０、４１、４２に記憶される。
【００６０】
次に、ステップＳ１６において、サーバ３０は、食卓の画像及び食卓の画像の撮影日時に基づいて、食卓画像情報を生成する。具体的には、サーバ３０は、食卓の画像が、食卓の画像の撮影日時に基づいて時系列に配置された食卓画像情報を生成する。
【００６１】
図６（Ａ）は、食卓の画像が、撮影日時に基づいて暦日の順番に配置された食卓画像情報を示す図である。
【００６２】
サーバ３０は、既に、画像提供端末２０から、複数の異なる暦日の食卓の画像を、食卓の画像の撮影日時と共に受信している。サーバ３０は、ステップＳ１４において受信した新たな食卓の画像を含めて、図６（Ａ）に示すように、食卓の画像が、食卓の画像の撮影日時に基づいて暦日の順番に配置された食卓画像情報を生成する。
【００６３】
図６（Ａ）に示す例では、所定の月の暦日に受信された食卓の画像が、その暦日の位置に配置されて、食卓画像情報が形成されている。画像提供者は、この画像を見ることにより、所定の月の各暦日における自分の飲食に関する状況を客観的に把握することができる。なお、画像提供端末２０から受信されている食卓の画像が１つだけの時には、サーバ３０は、食卓の画像が、撮影日時に基づいて１つだけ配置された食卓画像情報を生成する。
【００６４】
食卓画像情報には、所定の期間に撮影された食卓の画像を配置される。所定の期間としては、例えば、一ヶ月、一週間、一日、又は、画像提供者等の要求に応じた期間とすることができる。図６（Ａ）に示す例では、所定の期間は、一ヶ月としている。
【００６５】
サーバ３０は、食卓の画像を撮影した暦日が同じである複数の食卓の画像を受信している場合には、最初に受信した食卓の画像を、その暦日の部分に表示すると共に、受信した食卓の画像の数を、暦日の部分に表示する。図６（Ａ）に示す例では、２０日及び２４日において、複数の食卓の画像が受信されており、受信した食卓の画像の数がその暦日の部分に表示されている。
【００６６】
次に、ステップＳ１８において、サーバ３０は、生成した食卓画像情報を、画像提供端末２０へ送信する。
【００６７】
次に、ステップＳ２０において、画像提供端末２０は、サーバ３０から食卓画像情報を受信する。画像提供端末２０は、受信した食卓画像情報を記憶部２２に記憶する。
【００６８】
次に、ステップＳ２２において、画像提供端末２０は、受信した食卓画像情報を表示部２４に表示する。画像提供端末２０の表示部２４には、図６（Ａ）に示す食卓画像情報が表示される。
【００６９】
次に、ステップＳ２４において、画像提供者は、食卓の画像を撮影した暦日が同じ２０日である３つの食卓の画像を表示したいと考えた場合、表示部２４において、２０日の部分に表示されている食卓の画像の数を表す数字を、操作部２３であるタッチパネルを用いて操作する。画像提供端末２０は、食卓の画像の数を表わす数字が操作されると、新たな食卓画像情報の作成をサーバ３０へ要求する。
【００７０】
次に、ステップ２６において、サーバ３０は、画像提供端末２０からの新たな食卓画像情報の作成の要求を受信する。サーバ３０は、同じ暦日に撮影された複数の食卓の画像を、撮影時刻に基づいて時系列に配置された食卓画像情報を生成する。
【００７１】
図６（Ｂ）は、同じ暦日に撮影された複数の食卓の画像が、撮影時刻に基づいて時系列に配置された食卓画像情報を示す図である。
【００７２】
サーバ３０は、２０日に受信された３つの食卓の画像が、撮影時刻に基づいて、時系列に配置されると共に、各食卓の画像と関連づけて撮影時刻が配置された食卓画像情報を生成する。なお、食卓画像情報には、３つの食卓の画像だけを配置して、撮影時刻を配置しなくてもよい。
【００７３】
次に、ステップＳ２８において、サーバ３０は、生成した食卓画像情報を画像提供端末２０へ送信する。
【００７４】
次に、ステップＳ３０において、画像提供端末２０は、サーバ３０から食卓画像情報を受信する。画像提供端末２０は、受信した食卓画像情報を記憶部２２に記憶する。
【００７５】
次に、ステップＳ３２において、画像提供端末２０は、受信した食卓画像情報を表示部２４に表示する。表示部２４には、図６（Ｂ）に示す食卓画像情報が表示される。画像提供端末２０は、図６（Ｂ）に示す食卓画像情報を、図６（Ａ）に示す食卓画像情報の下に配置するように、表示部２４に表示してもよい。画像提供者は、この画像を見ることにより、所定の暦日における自分の飲食に関する状況を客観的に把握することができる。
【００７６】
上述した本実施形態のシステムによれば、飲食物が配置された食卓の画像を収集することにより、飲食物に関するより多くの情報を取得することできる。これにより、システムの管理者は、画像提供者等の家庭における食卓の実態を表す情報を得ることができる。例えば、母の日の食卓の画像を収集した所、所定の年齢層の画像提供者から受信した食卓の画像には、食卓に花が配置される場合が多いという情報が得られたとする。このような情報は、従来のシステムでは、取得することが困難であり、本実施形態のシステムを用いて初めて得られた知見といえる。従って、本実施形態のシステムを利用することにより、新たな観点から、消費者のニーズを把握できることが期待される。
【００７７】
また、画像提供者等は、食卓の画像が、食卓の画像の撮影日時に基づいて時系列に配置された食卓画像情報に基づいて、自分の飲食に関する状況を客観的に把握して、自身の食生活の管理又は健康管理に役立てることができる。これにより、画像提供者は、食卓の画像を継続してサーバへ送信することの動機付けが強められる。
【００７８】
次に、上述したシステム１０は、以下に説明する変形例１〜変形例３の機能を有していてもよい。変形例１〜変形例３を、図７〜図９を参照しながら、以下に説明する。
【００７９】
変形例１では、サーバ３０は、複数の暦日において、食卓の画像を受信している場合には、各暦日における撮影された順番が同じである食卓の画像が、暦日の順番に配置された食卓画像情報を生成する。
【００８０】
各暦日において、画像提供者が最初にサーバ３０へ送信する食卓の画像は、通常、朝食時の食卓の画像であると考えられる。
【００８１】
画像提供者は、所定の期間において、各暦日の朝食における食卓の画像を調べたいと考えた場合、画像提供端末２０を用いて、各暦日における撮影された順番が一番目である食卓の画像が、暦日の順番に配置された食卓画像情報を生成する要求を、サーバ３０へ送信する。変形例１では、画像提供者は、８日〜１６日の期間において、上述した食卓画像情報を生成することを、サーバ３０へ送信したとする。
【００８２】
サーバ３０は、８日〜１６日の期間において、各暦日における一番目に撮影された食卓の画像が、暦日の順番に配置されると共に、撮影日が食卓の画像と関連づけられて配置された食卓画像情報を作成する。なお、８日〜１６日の期間において、食卓の画像を受信していない日については、食卓画像情報には、受信されていない暦日の画像は、当然配置されない。そして、サーバ３０は、作成した食卓画像情報を、画像提供端末２０へ送信する。
【００８３】
図７は、各暦日における一番目に撮影された食卓の画像が、暦日の順番に配置された食卓画像情報を示す図である。
【００８４】
画像提供端末２０は、受信した食卓画像情報を表示部２４に表示する。
【００８５】
画像提供者は、各暦日の朝食が並べて配置された画像を確認することにより、自身の食生活の管理又は健康管理に役立てることができる。
【００８６】
また、サーバ３０は、複数の暦日において、食卓の画像を撮影した暦日が同じである複数の食卓の画像を受信している場合には、各暦日における撮影された順番が同じである食卓の画像が、暦日の順番に配置された食卓画像情報を生成してもよい。
【００８７】
具体的には、各暦日において、画像提供者が二番目にサーバ３０へ送信する食卓の画像は、通常、昼食時の食卓の画像であると考えられる。画像提供者は、サーバ３０に対して、各暦日における撮影された順番が二番目である食卓の画像が、暦日の順番に配置された食卓画像情報を生成させることにより、各暦日の昼食が並べて配置された画像を取得することができる。
【００８８】
同様に、各暦日において、画像提供者が三番目にサーバ３０へ送信する食卓の画像は、通常、夕食時の食卓の画像であると考えられる。画像提供者は、サーバ３０に対して、各暦日における撮影された順番が三番目である食卓の画像が、暦日の順番に配置された食卓画像情報を生成させることにより、各暦日の夕食が並べて配置された画像を取得することができる。以上が、変形例１の説明である。
【００８９】
次に、変形例２の説明を、以下に行う。
【００９０】
変形例２では、サーバ３０に対して画像提供端末２０から送信された食卓の画像に対して、食卓に配置された飲食物に含まれる熱量が推定される。食卓の画像に食べ物及び飲み物が写されている場合には、食べ物及び飲み物それぞれの熱量と、各熱量の合計が推定される。また、食卓の画像に複数の食べ物が写されている場合には、各食べ物それぞれの熱量と、各熱量の合計が推定される。
【００９１】
この作業は、例えば、飲食物の熱量に関する知識を有するものが、食卓の画像を見て飲食物の熱量を推定し、推定された熱量が、食卓の画像と関連づけられて、例えば、サーバ３０の画像ＤＢ４０に記憶される。
【００９２】
サーバ３０は、食卓の画像に基づいて推定された飲食物の熱量が、食卓の画像の撮影日時に基づいて時系列に配置された食卓画像情報を生成する。
【００９３】
図８（Ａ）は、食卓の画像に基づいて推定された飲食物の熱量が、撮影日時に基づいて暦日の順番に配置された食卓画像情報を示す図である。
【００９４】
図８（Ａ）に示す例では、所定の月の各暦日に受信された食卓の画像に基づいて推定された飲食物の熱量の合計が、その暦日の食卓の画像と共に、その暦日の位置に配置されている。画像提供者は、この画像を見ることにより、自分の飲食による摂取熱量に関する状況を客観的に把握することができる。なお、食卓画像情報では、食卓の画像を表示せずに、飲食物の熱量を表示するようにしてもよい。また、飲食物それぞれの熱量を、表示するようにしてもよい。
【００９５】
サーバ３０は、食卓の画像を撮影した暦日が同じである複数の食卓の画像を受信している場合には、最初に受信した食卓の画像に基づいて推定された飲食物の熱量を、その暦日の部分に表示すると共に、受信した食卓の画像の数を、暦日の部分に表示する。図８（Ａ）に示す例では、２０日及び２４日において、複数の食卓の画像が受信されており、受信した食卓の画像の数がその暦日の部分に表示されている。
【００９６】
サーバ３０は、画像提供者の要求に応じて、同じ暦日に撮影された複数の食卓の画像に基づいて推定された飲食物の熱量が、撮影時刻に基づいて時系列に配置された食卓画像情報を生成してもよい。
【００９７】
図８（Ｂ）は、同じ暦日に撮影された複数の食卓の画像に基づいて推定された飲食物の熱量が、撮影時刻に基づいて時系列に配置された食卓画像情報を示す図である。
【００９８】
サーバ３０は、例えば、画像提供者の要求に応じて、２０日に受信された食卓の画像に基づいて推定された飲食物の熱量が、撮影時刻に基づいて、時系列に配置されると共に、各食卓の画像と関連づけて撮影時刻が配置された食卓画像情報を生成する。以上が、変形例２の説明である。
【００９９】
次に、変形例３の説明を、以下に行う。
【０１００】
変形例３では、サーバ３０に対して画像提供端末２０から送信された食卓の画像に対して、食卓に配置された飲食物に含まれる栄養素が推定される。食卓の画像に食べ物及び飲み物が写されている場合には、食べ物及び飲み物それぞれの栄養素と、各栄養素の合計が推定される。また、食卓の画像に複数の食べ物が写されている場合には、各食べ物それぞれの栄養素と、各栄養素の合計が推定される。
【０１０１】
飲食物の栄養素として、例えば、三大栄養素である炭水化物、脂質、タンパク質を用いてもよい。また、飲食物の栄養素として、五大栄養素である炭水化物、脂質、タンパク質、無機質、ビタミンを用いてもよい。
【０１０２】
この作業は、例えば、飲食物に含まれる栄養素に関する知識を有するものが、食卓の画像を見て飲食物の栄養素を推定し、推定された栄養素が、食卓の画像と関連づけられて、例えば、サーバ３０の画像ＤＢ４０に記憶される。
【０１０３】
サーバ３０は、食卓の画像に基づいて推定された飲食物に含まれる栄養素が、食卓の画像の撮影日時に基づいて時系列に配置された食卓画像情報を生成する。
【０１０４】
図９（Ａ）は、食卓の画像に基づいて推定された飲食物の栄養素が、撮影日時に基づいて暦日の順番に配置された食卓画像情報を示す図である。
【０１０５】
図９（Ａ）に示す例では、所定の月の各暦日に受信された食卓の画像に基づいて推定された飲食物に含まれる栄養素の合計が、その暦日の位置に配置されている。画像提供者は、この画像を見ることにより、自分の飲食による摂取栄養素に関する状況を客観的に把握することができる。なお、食卓画像情報では、飲食物の栄養素と共に、食卓の画像を表示するようにしてもよい。また、飲食物それぞれに含まれる栄養素を、表示するようにしてもよい。
【０１０６】
サーバ３０は、食卓の画像を撮影した暦日が同じである複数の食卓の画像を受信している場合には、最初に受信した食卓の画像に基づいて推定された飲食物に含まれる栄養素を、その暦日の部分に表示すると共に、受信した食卓の画像の数を、暦日の部分に表示する。図９（Ａ）に示す例では、２０日及び２４日において、複数の食卓の画像が受信されており、受信した食卓の画像の数がその暦日の部分に表示されている。
【０１０７】
また、サーバ３０は、画像提供者の要求に応じて、同じ暦日に撮影された複数の食卓の画像に基づいて推定された飲食物に含まれる栄養素が、撮影時刻に基づいて時系列に配置された食卓画像情報を生成してもよい。
【０１０８】
図９（Ｂ）は、同じ暦日に撮影された複数の食卓の画像に基づいて推定された飲食物の栄養素が、撮影時刻に基づいて時系列に配置された食卓画像情報を示す図である。
【０１０９】
サーバ３０は、例えば、画像提供者の要求に応じて、２０日に受信された食卓の画像に基づいて推定された飲食物に含まれる栄養素が、撮影時刻に基づいて、時系列に配置されると共に、各食卓の画像と関連づけて撮影時刻が配置された食卓画像情報を生成する。以上が、変形例３の説明である。
【０１１０】
本発明では、上述した実施形態のシステム、サーバ及び方法は、本発明の趣旨を逸脱しない限り適宜変更が可能である。また、一の実施形態が有する構成要件は、他の実施形態にも適宜適用することができる。
【０１１１】
例えば、上述した実施形態及び変形例では、食卓画像情報は、画像を含んでいたが、食卓画像情報は、画像を含まない情報であってもよい。
【符号の説明】
【０１１２】
１０    システム
２０    画像提供端末
２１    演算部
２２    記憶部
２２ａ    記憶媒体
２３    操作部
２４    表示部
２４ａ    食卓の画像
２４ｂ    撮影日時
２４ｃ    送信ボタン
２５    撮影部
２６    通信部
３０    サーバ
３１    演算部
３２    記憶部
３２ａ    記憶媒体
３３    操作部
３４    表示部
３５    通信部
４０    画像データベース
４１    属性データベース
４２    アンケートデータベース
５０    画像利用端末
Ｎ    ネットワーク
【図１】
0006671156.tif 000002
【図２】
0006671156.tif 000003
【図３】
0006671156.tif 000004
【図４】
0006671156.tif 000005
【図５】
0006671156.tif 000006
【図６】
0006671156.tif 000007
【図７】
0006671156.tif 000008
【図８】
0006671156.tif 000009
【図９】
0006671156.tif 000010